(57)【要約】  【課題】遊戯機１に対する不正を防止すると共に、セキュリティ管理の利便性を向上させる。  【解決手段】施解錠機構を有する遊戯機１の施解錠を管理する遊戯機１の施解錠管理システムＳにおいて、前記施解錠機構の施錠又は解錠を許諾された許諾者の許諾者識別情報を登録する許諾者識別情報登録手段３Ａと、前記許諾者識別情報登録手段３Ａにて登録した許諾者識別情報を蓄積する蓄積手段２Ｂと、前記施解錠機構の施錠又は解錠の操作をする者が有する操作者識別情報を受け付ける操作者識別情報受付手段１Ａと、前記操作者識別情報受付手段１Ａにて受け付けた操作者識別情報と、前記蓄積手段２Ｂにて蓄積している許諾者識別情報とを照合し、施錠又は解錠を許諾された者であるかを認証する施解錠認証手段２Ｄと、前記施解錠認証手段２Ｄの認証結果に基づいて、前記施解錠機構の施錠又は解錠を制御する施解錠制御手段２Ｅとを有することを特徴とする。  【選択図】図１
2008043543.tif 000002
【特許請求の範囲】
【請求項１】
施解錠機構を有する遊戯機の施解錠を管理する遊戯機の施解錠管理システムにおいて、
前記施解錠機構の施錠又は解錠を許諾された許諾者の許諾者識別情報を登録する許諾者識別情報登録手段と、
前記許諾者識別情報登録手段にて登録した許諾者識別情報を蓄積する許諾者識別情報蓄積手段と、
前記施解錠機構の施錠又は解錠の操作をする者が有する操作者識別情報を受け付ける操作者識別情報受付手段と、
前記操作者識別情報受付手段にて受け付けた操作者識別情報と、前記許諾者識別情報蓄積手段にて蓄積している許諾者識別情報とを照合し、施錠又は解錠を許諾された者であるかを認証する施解錠認証手段と、
前記施解錠認証手段の認証結果に基づいて、前記施解錠機構の施錠又は解錠を制御する施解錠制御手段とを有することを特徴とする遊戯機の施解錠管理システム。
【請求項２】
前記施解錠機構を操作可能な範囲を示す権限レベル情報を、前記許諾者識別情報と関連付けて蓄積する権限レベル情報蓄積手段と、
前記権限レベル情報蓄積手段にて蓄積した権限レベルに応じて、前記施解錠機構の施錠又は解錠を制御する施解錠制御手段とを有することを特徴とする請求項１記載の遊戯機の施解錠管理システム。
【請求項３】
前記施解錠機構の施錠又は解錠に関する施解錠情報を管理する施解錠情報管理手段を有することを特徴とする請求項１または２記載の遊戯機の施解錠管理システム。
【請求項４】
前記遊戯機を設置した遊技場の外部に設けた外部管理装置に、前記施解錠機構の施錠又は解錠に関する施解錠情報を送信する施解錠情報送信手段を有することを特徴とする請求項１乃至３記載の遊戯機の施解錠管理システム。
【請求項５】
規定の時間外に施錠又は解錠が行なわれた場合に、当該施錠又は解錠に関する施解錠情報を所定の端末装置に送信する施解錠情報送信手段を有することを特徴とする請求項１乃至４記載の遊戯機の施解錠管理システム。
【請求項６】
前記操作者識別情報受付手段が、非接触情報通信により前記操作者識別情報を受け付けることを特徴とする請求項１乃至５記載の遊戯機の施解錠管理システム。
【請求項７】
施解錠機構を有する遊戯機の施解錠を管理する遊戯機の施解錠管理システムにおいて、
前記施解錠機構の施錠又は解錠を許諾された許諾者の許諾者識別情報である生体情報を登録する許諾者識別情報登録手段と、
前記許諾者識別情報登録手段にて登録した許諾者識別情報を蓄積する許諾者識別情報蓄積手段と、
前記施解錠機構の施錠又は解錠の操作をする者が有する操作者識別情報である生体情報を受け付ける操作者識別情報受付手段と、
前記操作者識別情報受付手段にて受け付けた操作者識別情報と、前記許諾者識別情報蓄積手段にて蓄積している許諾者識別情報とを照合し、施錠又は解錠を許諾された操作者であるかを認証する施解錠認証手段と、
当該施解錠認証手段の認証結果に基づいて、前記施解錠機構の施錠又は解錠を制御する施解錠制御手段とを有することを特徴とする請求項１乃至６記載の遊戯機の施解錠管理システム。
【請求項８】
施解錠機構を有する遊戯機の施解錠を管理する遊戯機の施解錠管理システムに用いるコンピュータを機能させるためのプログラムにおいて、前記コンピュータを、
前記施解錠機構の施錠又は解錠を許諾された許諾者の許諾者識別情報を登録する許諾者識別情報登録手段と、
前記許諾者識別情報登録手段にて登録した許諾者識別情報を蓄積する許諾者識別情報蓄積手段と、
前記施解錠機構の施錠又は解錠の操作をする者が有する操作者識別情報を受け付ける操作者識別情報受付手段と、
前記操作者識別情報受付手段にて受け付けた操作者識別情報と、前記許諾者識別情報蓄積手段にて蓄積している許諾者識別情報とを照合し、施錠又は解錠を許諾された者であるかを認証する施解錠認証手段と、
前記施解錠認証手段の認証結果に基づいて、前記施解錠機構の施錠又は解錠を制御する施解錠制御手段として機能させるための遊戯機の施解錠管理プログラム。
【発明の詳細な説明】
【技術分野】
【０００１】
例えばパチンコ台等の遊戯機のセキュリティに関するものである。
【背景技術】
【０００２】
従来、セキュリティ対策の観点からパチンコ台等の遊戯機は、勝手に遊戯盤や遊戯機を制御する制御基板を操作できないように施錠されている。そして、遊戯機にトラブルが発生した場合やメンテナンスが必要な場合などには、店員が所持する特定の鍵を用いて各遊戯機を解錠できる構成としている。
【０００３】
（例えば、特許文献１を参照）。
【特許文献１】特開平６−１２６０３５号
【発明の開示】
【発明が解決しようとする課題】
【０００４】
しかし、店員が所持する鍵は各遊戯機に対応した物理的な鍵であるため、本人が知らない間に合い鍵を作られてしまうなど、セキュリティ上の問題が発生している。更に、遊戯機毎に固有の鍵が存在するため多数の鍵を管理しなければならず、また紛失しても気づかないなどの不具合が生じている。
【課題を解決するための手段】
【０００５】
そこで本願は、施解錠機構を有する遊戯機の施解錠を管理する遊戯機の施解錠管理システムにおいて、前記施解錠機構の施錠又は解錠を許諾された許諾者の許諾者識別情報を登録する許諾者識別情報登録手段と、前記許諾者識別情報登録手段にて登録した許諾者識別情報を蓄積する許諾者識別情報蓄積手段と、前記施解錠機構の施錠又は解錠の操作をする者が有する操作者識別情報を受け付ける操作者識別情報受付手段と、前記操作者識別情報受付手段にて受け付けた操作者識別情報と、前記許諾者識別情報蓄積手段にて蓄積している許諾者識別情報とを照合し、施錠又は解錠を許諾された者であるかを認証する施解錠認証手段と、前記施解錠認証手段の認証結果に基づいて、前記施解錠機構の施錠又は解錠を制御する施解錠制御手段とを有することを特徴とする。
【０００６】
これにより、遊戯機毎に固有の鍵を管理する必要が無くなり、鍵の紛失を防止するなどしてセキュリティ機能を高めることが可能となるばかりか、施解錠を行なう者の利便性を飛躍的に向上させることができる。また、当該操作者識別情報により施解錠操作を行った者を特定できるため、不正を抑止する効果が期待できる。
【０００７】
更に、前記施解錠機構を操作可能な範囲を示す権限レベル情報を、前記許諾者識別情報と関連付けて蓄積する権限レベル情報蓄積手段と、前記権限レベル情報蓄積手段にて蓄積した権限レベルに応じて、前記施解錠機構の施錠又は解錠を制御する施解錠制御手段とを有することにより、例えば、店長であれば全ての施解錠機構の施解錠を可能とし、他の店員は一部の施解錠機構だけを施解錠できるなど、各個人の権限に合わせたセキュリティシステムを実現できる。
【０００８】
加えて、前記施解錠機構の施錠又は解錠に関する施解錠情報を管理する施解錠情報管理手段を有することで、容易に施解錠の管理を行うことができる。
【０００９】
更に、店員等を巻き込んだ不正を防止するためには、遊技場内で閉じたシステムとせず、前記遊戯機を設置した遊技場の外部に設けた外部管理装置に、前記施解錠機構の施錠又は解錠に関する施解錠情報を送信する施解錠情報送信手段を有することが望ましい。
【００１０】
また、規定の時間外に施錠又は解錠が行なわれた場合に、当該施錠又は解錠に関する施解錠情報を所定の端末装置に送信する施解錠情報送信手段を有することにより、不正が行なわれやすい営業時間外などにおいても容易に監視を行うことができ、不正の早期発見が可能となる。
【００１１】
具体的な構成としては、前記操作者識別情報受付手段が、非接触情報通信により前記操作者識別情報を受け付けることが好ましい。
【００１２】
更に、施解錠機構を有する遊戯機の施解錠を管理する遊戯機の施解錠管理システムにおいて、前記施解錠機構の施錠又は解錠を許諾された許諾者の許諾者識別情報である生体情報を登録する許諾者識別情報登録手段と、前記許諾者識別情報登録手段にて登録した許諾者識別情報を蓄積する許諾者識別情報蓄積手段と、前記施解錠機構の施錠又は解錠の操作をする者が有する操作者識別情報である生体情報を受け付ける操作者識別情報受付手段と、前記操作者識別情報受付手段にて受け付けた操作者識別情報と、前記許諾者識別情報蓄積手段にて蓄積している許諾者識別情報とを照合し、施錠又は解錠を許諾された操作者であるかを認証する施解錠認証手段と、当該施解錠認証手段の認証結果に基づいて、前記施解錠機構の施錠又は解錠を制御する施解錠制御手段とを有することが考えられる。  これにより、鍵を紛失する心配がなくなるばかりか、操作者固有の生体情報を認証情報として利用するため、更にセキュリティを強化することができる。
【発明の効果】
【００１３】
遊戯機に対する不正を防止すると共に、セキュリティ管理の利便性を向上させる。
【発明を実施するための最良の形態】
【００１４】
以下、本発明の一実施の形態について図面を参照して説明する。
【００１５】
この実施形態における遊戯機１の施解錠管理システムＳは、例えばパチンコ店等の遊技場Ａに設けた遊戯機１の施解錠を管理し、不正を防止するためのシステムである。
【００１６】
具体的には、本システムＳは図１に示すように、パチンコ店である遊技場Ａ内に、施解錠機構を備えた遊戯機１と、当該遊戯機１の施解錠を認証する認証端末装置２と、当該認証端末装置２とＬＡＮ等にて通信可能な内部管理端末装置３とを備えている。
【００１７】
また、本実施の形態においては、前記遊戯場外にも外部管理サーバ４を備えており、当該外部管理サーバ４を通じて、例えばパチンコ店の営業時間外に遊戯機１の施解錠が行われた際には、所定の管理者携帯端末５に当該施解錠を知らせるメールを送るシステムを採用している。
【００１８】
尚、遊技場Ａの店員は、各々リング型の操作者携帯端末６を腕に装着しており、当該操作者携帯端末６を用いて前記施解錠機構の施解錠を行なう。
＜１、機器構成＞
図１は、この実施の形態における全体システムＳを示した構成図である。
【００１９】
遊戯機１は、本実施の形態においてはパチンコ台であり、框体となる遊戯機本体と、当該遊戯機本体の前面に蝶番を介して開閉可能に取り付けた遊戯盤を有する前面枠と、当該前面枠の裏側に位置する遊戯に関する制御を行う制御基板とを有している。前記前面枠には、蝶番を介して開閉可能な窓枠を設けており、当該窓枠には、裏側に位置する前記遊戯盤を視認可能な透明体のガラスを嵌め込んでいる。そして、当該窓枠を開けることにより前記遊戯盤を操作可能としている。
【００２０】
更に、当該遊戯機１には、前記窓枠の開閉部を施解錠できる位置に取り付けて、前記遊戯盤へのアクセスを規制可能とする第一施解錠機構と、前記前面枠の開閉部を施解錠できる位置に取り付けて、前記制御基板へのアクセスを規制可能とする第二施解錠機構とを備えている。
【００２１】
当該第一施解錠機構及び第二施解錠機構は、電気的なロック機構を採用している。具体的には、ソレノイドと、当該ソレノイドへの通電によりロック位置とアンロック位置に進退可能な係止爪と、当該係止爪を係止して前面枠などを施錠する溝孔とを具備し、後述する制御信号を受信することにより、施錠状態と解錠状態を制御可能としている。
【００２２】
また、当りランプの近傍にはＲＦＩＤからの電波を受信する非接触式リーダを備えている。
【００２３】
認証端末装置２は、一の島に属する複数の前記遊戯機１に対する認証を行なう端末装置であり、当該認証端末装置２は、前記遊戯機１及び前記内部管理端末装置３とＬＡＮなどで通信可能に接続している。具体的には、ディスプレイ、ＣＰＵ、内部メモリ、ＨＤ等の外部記憶装置、通信インターフェース等を備えている。
【００２４】
内部管理端末装置３は、例えばインターネットＮＥＴに接続してあるいわゆるパーソナルコンピュータである。具体的には、キーボード、マウス、ディスプレイ、ＣＰＵ、内部メモリ、ＨＤ等の外部記憶装置、通信インターフェース等を備えており、メール送受信機能、ＷＥＢ機能、データベース機能等を備えている。
【００２５】
外部管理サーバ４は、例えばインターネットＮＥＴに接続してあるいわゆるＡＳＰサーバである。具体的には、キーボード、マウス、ディスプレイ、ＣＰＵ、内部メモリ、ＨＤ等の外部記憶装置、通信インターフェース等を備えており、メール送受信機能やメール管理機能を具備するメールサーバ機能やＷＥＢサーバ機能やデータベース機能等を備えている。
【００２６】
管理者携帯端末５は、入力部、表示部、ＣＰＵ、メモリ、通信インターフェース等を備えたインターネットＮＥＴに接続可能なメール機能を備えた携帯電話であるが、いわゆるパーソナルコンピュータやその他の携帯端末等でも構わない。
【００２７】
操作者携帯端末６は、本実施の形態においては操作者の腕に嵌めるリング型の装置である。そして、当該リング型の装置にアクティブ型のＲＦＩＤタグや電池等の電源、ＣＰＵ等を内蔵することで、非接触情報通信機能を備えている。
＜２、概略機能構成＞
そして、前記遊戯機１は、その記憶装置等に記憶させたプログラム等によってＣＰＵや周辺機器を作動させ、図２に示すように、操作者識別情報受付手段１Ａ、操作者識別情報送信手段１Ｂ、施解錠制御情報受信手段１Ｃ、施解錠制御手段１Ｄとしての機能を発揮する。
【００２８】
各手段を説明すると、操作者識別情報受付手段１Ａは、当りランプの近傍に設けた非接触式リーダを用いて前記操作者携帯端末６から無線にて送信されてくる操作者識別情報である識別コードを受信する機能を有する。
【００２９】
ここで「操作者」とは、例えばパチンコ店の店員など、遊戯機１に設けた前記第一施解錠機構や第二施解錠機構の施解錠操作を行なう者をいう。
【００３０】
また、「操作者識別情報」とは、各操作者を識別可能な識別情報であり、本実施の形態おいては、ＲＦＩＤタグに記憶されたユニークな識別コードを操作者識別情報として用いている。
【００３１】
操作者識別情報送信手段１Ｂは、前記操作者識別情報受付手段１Ａにて受け付けた操作者識別情報を前記認証端末装置２へと送信する機能を有する。具体的には、前記操作者識別情報と共に当該遊戯機１が有する遊戯機識別情報も送信する。
【００３２】
施解錠制御情報受信手段１Ｃは、前記認証端末装置２から送信されてくる施解錠制御情報を受信する手段であり、具体的には、施錠又は解錠を許諾する施解錠許諾情報と、前記施解錠機構を操作可能な範囲を示す権限レベル情報とを施錠又は解錠の施解錠制御情報として受信する。
【００３３】
施解錠制御手段１Ｄは、前記施解錠制御情報に基づいて、前記第一施解錠機構及び第二施解錠機構の施解錠を制御する。例えば、受信した施解錠の施解錠制御情報が第一施解錠機構の解錠を許諾する施解錠制御信号である場合には、第一施解錠機構のソレノイドに通電されて前記第一施解錠機構の係止爪がアンロック位置に移動する。そして第一施解錠機構の係止爪が第一施解錠機構の溝孔から外れることにより、前記第一施解錠機構が解錠される。また、受信した施解錠制御情報が第一施解錠機構及び第二施解錠機構の双方（本実施の形態においては、全ての施解錠機構）の解錠を許諾する施解錠制御信号である場合には、第一施解錠機構及び第二施解錠機構のソレノイドに通電されて、前記第一施解錠機構及び第二施解錠機構の係止爪がアンロック位置に移動する。そして第一施解錠機構及び第二施解錠機構の係止爪が各々の溝孔から外れることにより、前記第一施解錠機構及び第二施解錠機構が解錠される。尚、施錠の場合も前記解錠の場合と同様にソレノイドへの通電により前記係止爪をロック位置に移動させて施錠する。
【００３４】
認証端末装置２は、その記憶装置等に記憶させたプログラム等によってＣＰＵや周辺機器を作動させ、図２に示すように、許諾者識別情報受信手段２Ａと、蓄積手段２Ｂと、操作者識別情報受信手段２Ｃと、施解錠認証手段２Ｄと、施解錠制御手段２Ｅと、施解錠情報送信手段２Ｆとしての機能を発揮する。
【００３５】
許諾者識別情報受信手段２Ａは、ＬＡＮ等を用いて前記内部管理端末装置３から送信されてくる許諾者識別情報を受信する手段である。
【００３６】
ここで「許諾者」とは、例えばパチンコ店の店員など、前記第一施解錠機構や第二施解錠機構の施解錠操作を許諾された者をいう。本実施の形態においては、例えば、店長であれば第一施解錠機構及び第二施解錠機構の全てを施解錠できるが、他の店員は、第一施解錠機構のみを施解錠できるなど、許諾者の中でも前記施解錠機構を操作可能な範囲を異ならせている。
【００３７】
また「許諾者識別情報」とは、各許諾者を識別可能な識別情報であり、本実施の形態おいては、操作者識別情報と同様に、ＲＦＩＤタグに記憶されたユニークな識別コードを許諾者識別情報として用いている。
【００３８】
蓄積手段２Ｂは、後述する許諾者情報領域、遊戯機情報領域、プログラム領域等の領域毎に各種情報を蓄積している。
【００３９】
許諾者情報領域には、後述する許諾者識別情報登録手段３Ａにて登録した許諾者識別情報を、各許諾者の権限レベル情報と関連付けて蓄積する。例えば、店長に第一施解錠機構及び第二施解錠機構の全てを施解錠できる権限レベルを登録した場合には、当該店長の許諾者識別情報と関連付けて、第一施解錠機構及び第二施解錠機構を施解錠できる旨の権限レベル情報を蓄積する。
【００４０】
遊戯機情報領域には、当該認証端末装置２にて認証を行なう遊戯機１の遊戯機識別情報を蓄積している。本実施の形態においては、一の認証端末装置２にて複数の遊戯機１の認証を行なう。
【００４１】
操作者識別情報受信手段２Ｃは、前記遊戯機１から送信されてくる操作者識別情報を受信する手段である。本実施の形態においては、前記操作者識別情報と共に、送信元である遊戯機１の遊戯機識別情報を受信する。
【００４２】
施解錠認証手段２Ｄは、前記操作者識別情報受信手段２Ｃにて受け付けた操作者識別情報と、前記蓄積手段２Ｂにて蓄積している許諾者識別情報とを照合し、施錠又は解錠を許諾された者であるかを認証する機能を有する。
【００４３】
具体的には、前記操作者識別情報受信手段２Ｃにて操作者識別情報を受け付けることを契機として、前記蓄積手段２Ｂから許諾者識別情報を読み出す。そして、当該操作者識別情報と許諾者識別情報とを照合し、前記操作者識別情報と許諾者識別情報とが合致した場合には、施解錠制御手段２Ｅへ認証信号を出力する。一方、前記操作者識別情報と許諾者識別情報とが合致しない場合には、前記認証信号を出力しない。尚、前記操作者識別情報と許諾者識別情報とが合致しない場合には、エラー情報を出力してもよい。
【００４４】
施解錠制御手段２Ｅは、当該施解錠認証手段２Ｄの認証結果に基づいて、前記施解錠機構の施錠又は解錠を制御する機能を有する。
【００４５】
詳述すると、前記施解錠認証手段２Ｄから前記操作者識別情報と許諾者識別情報とが合致した旨の認証信号を受信した場合には、前記許諾者識別情報に基づいて前記蓄積手段２Ｂから当該許諾者識別情報と関連付けられた権限レベル情報を読み出す。そして、当該権限レベル情報に合わせた施解錠制御情報を生成し、前記操作者識別情報を送信してきた遊戯機１に向けて当該施解錠制御情報を送信する。例えば、操作者が全ての施解錠機構を許諾された店長である場合には、前記遊戯機識別情報と共に、第一施解錠機構及び第二施解錠機構の施錠又は解錠を許諾する施解錠制御情報を送信する。
【００４６】
施解錠情報送信手段２Ｆは、施錠又は解錠が行なわれた場合に、施解錠に関する前記施解錠機構の施錠又は解錠に関する施解錠情報を内部管理端末装置３に向けて送信する手段である。具体的には、前記施解錠制御手段２Ｅが施解錠制御情報を送信した旨の信号を受信すると、当該施解錠を行なった遊戯機１の遊戯機識別情報と関連付けて、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報とを内部管理端末装置３へ向けて送信する。
【００４７】
内部管理端末装置３は、その記憶装置等に記憶させたプログラム等によってＣＰＵや周辺機器を作動させ、図２に示すように、許諾者識別情報登録手段３Ａと、蓄積手段３Ｂと、施解錠情報受信手段３Ｃと、施解錠情報送信手段３Ｄとしての機能を発揮する。
【００４８】
許諾者識別情報登録手段３Ａは、前記施解錠機構の施錠又は解錠を許諾された許諾者の許諾者識別情報を登録する手段である。具体的には、施解錠を許諾する許諾者識別情報の他、当該許諾者が施錠機構を操作可能な範囲を示す権限レベル情報、認証を行なう認証端末装置２の認証端末装置識別情報、当該認証端末装置２にて認証を行なう遊戯機１の遊戯機識別情報等を登録する。本実施の形態においては、後述するＡＳＰサーバである外部管理サーバ４に通信回線を用いてアクセスし、ＷＥＢブラウザを使ってＡＳＰサーバにインストールされたアプリケーションを利用して登録を行なう。
【００４９】
蓄積手段３Ｂは、後述する許諾者情報領域、遊戯機情報領域、認証端末装置情報領域、施解錠情報領域、プログラム領域等の領域毎に各種情報を蓄積している。
【００５０】
許諾者情報領域には、前記許諾者識別情報登録手段３Ａにて登録した許諾者識別情報を、各許諾者の権限レベル情報と関連付けて蓄積する。
【００５１】
遊戯機情報領域には、当該内部管理端末装置３にて管理を行なう遊戯機１の遊戯機識別情報を蓄積している。本実施の形態においては、一の内部管理端末装置３にて遊技場Ａ内の全ての遊戯機１の管理を行なう。
【００５２】
認証端末装置情報領域には、当該内部管理端末装置３にて管理を行なう認証端末装置２の認証端末装置識別情報を蓄積している。本実施の形態においては、一の内部管理端末装置３にて遊技場Ａ内の全ての認証端末装置２の管理を行なう。また、各認証端末装置２の認証端末装置識別情報と、当該認証端末装置２にて認証を行なう遊戯機１の遊戯機識別情報とを関連付けて蓄積し、どの認証端末装置２が、どの遊戯機１の認証を行なっているかを管理する情報を蓄積している。
【００５３】
施解錠情報領域には、施錠又は解錠が行なわれたことを示す情報、つまり、前記施解錠機構の施錠又は解錠に関する施解錠情報を蓄積している。具体的には、当該施解錠を行なった遊戯機１の遊戯機識別情報に関連付けて、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報とを蓄積する。
【００５４】
施解錠情報受信手段３Ｃは、前記認証端末装置２から送信される施解錠情報を受信する手段である。具体的には、施錠又は解錠が行なわれた場合に、当該施解錠を行なった遊戯機１の遊戯機識別情報に関連付けて、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報とを受信する。
【００５５】
施解錠情報送信手段３Ｄは、前記施解錠情報受信手段３Ｃにて受信した施解錠情報をインターネット等の通信回線を用いて前記外部管理サーバ４に向けて送信する機能を有する。具体的には、当該遊技場Ａの遊技場識別情報と関連付けて、当該施解錠を行なった遊戯機１の遊戯機識別情報と、当該施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報とを送信する。
【００５６】
外部管理サーバ４は、その記憶装置等に記憶させたプログラム等によってＣＰＵや周辺機器を作動させ、図２に示すように、複数の遊技場Ａを管理する外部管理サーバ４であり、許諾者識別情報登録手段４Ａと、蓄積手段４Ｂと、施解錠情報受信手段４Ｃと、施解錠情報管理手段４Ｄと、施解錠情報送信手段４Ｅとしての機能を発揮する。
【００５７】
許諾者識別情報登録手段４Ａは、前記施解錠機構の施錠又は解錠を許諾された許諾者の許諾者識別情報を登録する手段である。具体的には、遊技場Ａを識別する遊技場識別情報と関連付けて、施解錠を許諾する許諾者識別情報の他、当該許諾者が施錠機構を操作可能な範囲を示す権限レベル情報、認証を行なう認証端末装置２の認証端末装置識別情報、当該認証端末装置２にて認証を行なう遊戯機１の遊戯機識別情報等を登録する。本実施の形態においては、当該外部管理サーバ４に通信回線を用いてアクセスしてきた内部管理端末装置３からの情報に基づいて登録を行なう。
【００５８】
蓄積手段４Ｂは、後述する遊技場情報領域、許諾者情報領域、遊戯機情報領域、認証端末装置情報領域、施解錠情報領域、プログラム領域等の領域毎に各種情報を蓄積している。
【００５９】
遊技場情報領域には、遊技場識別情報と関連付けて、当該遊技場Ａの営業時間（規定の時間）、当該遊技場Ａの営業時間外（規定の時間外）に施解錠が行なわれた場合に当該施解錠情報を送信する施解錠情報送信先情報等を蓄積している。尚、当該遊技場Ａの営業時間（規定の時間）や前記施解錠情報送信先情報等は、図示しない登録手段を用いて事前に登録されている。
【００６０】
許諾者情報領域には、前記許諾者識別情報登録手段３Ａにて登録した許諾者識別情報を、各許諾者の権限レベル情報と関連付けて蓄積する。
【００６１】
遊戯機情報領域には、当該外部管理サーバ４にて管理を行なう遊戯機１の識別情報を各遊技場識別情報と関連付けて蓄積している。
【００６２】
認証端末装置情報領域には、当該外部管理サーバ４にて管理を行なう認証端末装置２の認証端末装置識別情報を蓄積している。また、各遊技場識別情報と関連付けて、認証端末装置２の認証端末装置識別情報と、当該認証端末装置２にて認証を行なう遊戯機１の遊戯機識別情報とを蓄積している。
【００６３】
施解錠情報領域には、施錠又は解錠が行なわれたことを示す情報、つまり、前記施解錠機構の施錠又は解錠に関する施解錠情報を蓄積している。具体的には、当該施解錠を行なった遊戯機１を設置している遊技場Ａの遊戯場識別情報に関連付けて、当該施解錠を行なった遊戯機１の遊戯機識別情報と、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報とを蓄積する。
【００６４】
施解錠情報受信手段４Ｃは、前記内部管理端末装置３からインターネット等の通信回線を通じて施解錠情報を受信する機能を有する。
【００６５】
具体的には、当該施解錠を行なった遊戯機１を設置している遊技場Ａの遊戯場識別情報に関連付けて、当該施解錠を行なった遊戯機１の遊戯機識別情報と、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報を受信する。
【００６６】
施解錠情報管理手段４Ｄは、前記施解錠機構の施錠又は解錠に関する施解錠情報を管理する機能を有している。本実施の形態においては、前記施解錠情報を前記蓄積手段４Ｂに蓄積すると共に、当該施解錠情報を前記管理者携帯端末５に送信するか否かを判断する。具体的には、前記蓄積手段４Ｂに蓄積した遊技場情報を読出し、当該遊技場情報に含まれる規定の時間と、前記施解錠情報に含まれる施解錠時刻とを比較し、当該施解錠時刻が規定の時間外である場合には、当該施解錠情報を予め定められた管理者携帯端末５へ送信する施解錠情報を作成する。
【００６７】
施解錠情報送信手段４Ｅは、規定の時間外に施錠又は解錠が行なわれた場合に、当該施錠又は解錠に関する施解錠情報を所定の管理者携帯端末５に送信する機能を有する。
【００６８】
本実施の形態においては、前記施解錠情報管理手段４Ｄにて作成した施解錠情報、つまり当該施解錠を行なった遊戯機１を設置している遊技場Ａの遊戯場識別情報に関連付けて、当該施解錠を行なった遊戯機１の遊戯機識別情報と、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報をメールにて送信する。
【００６９】
管理者携帯端末５は、遊技場Ａのオーナーなどが所有する携帯電話などであり、その記憶装置等に記憶させたプログラム等によってＣＰＵや周辺機器を作動させ、図２に示すように、施解錠情報受信手段５Ａと、施解錠情報表示手段５Ｂとしての機能を有する。
【００７０】
施解錠情報受信手段５Ａは、前記外部管理サーバ４から送信されてくる施解錠情報を受信する機能を有する。本実施の形態においては、メールにて当該施解錠を行なった遊戯機１を設置している遊技場Ａの遊戯場識別情報に関連付けて、当該施解錠を行なった遊戯機１の遊戯機識別情報と、施錠又は解錠が行なわれたことを示す施解錠情報と、当該遊戯機１の施解錠を行なった操作者の操作者識別情報と、当該操作者の施解錠を認証した認証端末装置２の認証端末装置識別情報と、当該施解錠を行なった時刻を示す施解錠時刻情報を受信する。
【００７１】
施解錠情報表示手段５Ｂは、前記施解錠情報受信手段５Ａにて受信した施解錠情報をディスプレイ等に表示する機能を有する。
【００７２】
操作者携帯端末６は、各操作者を識別するためのものであり、その記憶装置等に記憶させたプログラム等によってＣＰＵや周辺機器を作動させ、図２に示すように、操作者識別情報蓄積手段６Ａと、操作者識別情報送信手段６Ｂとを有している。
【００７３】
操作者識別情報蓄積手段６Ａは、ＲＦＩＤタグ等を用いて当該操作者携帯端末６を保有する操作者毎に付与された操作者識別情報を蓄積している。
【００７４】
操作者識別情報送信手段６Ｂは、非接触情報通信手段であり一定範囲内に設置した非接触式リーダにて受信可能な指向性を有しない微弱電波を用いて能動的に前記操作者識別情報蓄積手段６Ａに蓄積した操作者識別情報を一定間隔で送信する。
＜３、動作説明＞
次に、本システムＳの動作の一例を図３乃至図５を参照しながら説明する。
【００７５】
まず、前記施解錠機構の施解錠を許諾する許諾者の許諾者識別情報を登録する工程について図３を参照して説明する。
【００７６】
遊技場Ａの店長やオーナー等は、前記内部管理端末装置３を用いて前記外部管理サーバ４にパスワード等を用いてログインし（ステップＳ１：Ｙ）、双方向通信可能な状態とする。そして、前記外部管理サーバ４から送信される許諾者識別情報登録画面の指示に従って許諾者識別情報の他、当該許諾者に対する権限レベル情報や施解錠を許諾する遊戯機識別情報等を送信する（ステップＳ２）。
【００７７】
内部管理端末装置３は、前記外部管理サーバ４から登録完了の情報を受信すると（ステップＳ３）、前記ステップＳ２にて登録した許諾者識別情報等を認証端末装置２へと送信する（ステップＳ４）。具体的には、前記認証端末装置２に向けて前記許諾者識別情報の他、当該許諾者に対する権限レベル情報や施解錠を許諾する遊戯機識別情報を送信する。また、当該認証端末装置２に送信した情報は、当該認証端末装置識別情報と共に内部管理端末装置３の蓄積手段３Ｂに蓄積する（ステップＳ５）。
【００７８】
次に、操作者が施解錠を行なう際に認証端末装置２等を用いて認証を行なう工程について図４を参照して説明する。
【００７９】
操作者が、各自が携帯している操作者携帯端末６を遊戯機１に設けたリーダに近接させると、前記操作者携帯端末６から操作者識別情報が遊戯機１へ送信される。前記遊戯機１は、前記操作者識別情報受付手段１Ａを用いて前記操作者識別情報を受け付けると、当該遊戯機１の操作者識別情報送信手段１Ｂを用いて当該遊戯機１を管理する認証端末装置２へと前記操作者識別情報及び遊戯機識別情報を送信する。
【００８０】
認証端末装置２は、前記遊戯機１から送信された前記操作者識別情報等を受信すると（ステップＳ１０１：Ｙ）、当該操作者識別情報を有する操作者が当該遊戯機１の施解錠を許諾された者であるかを認証する（ステップＳ１０２）。
【００８１】
詳述すると、前記操作者識別情報受信手段２Ｃにて操作者識別情報を受け付けることを契機として、前記蓄積手段２Ｂから許諾者識別情報を読み出す。そして、当該操作者識別情報と許諾者識別情報を照合し、前記操作者識別情報と許諾者識別情報とが合致した場合には、施解錠制御手段２Ｅ１Ｄへ認証信号を出力する。一方、前記操作者識別情報と許諾者識別情報とが合致しない場合には、前記認証信号を出力しない。
【００８２】
そして、前記操作者識別情報と許諾者識別情報とが整合した場合には（ステップＳ１０３：Ｙ）、当該許諾者の権限レベルを確認し（ステップＳ１０４）、操作者識別情報を送信してきた遊戯機１に、施解錠制御情報を送信する（ステップＳ１０５）。
【００８３】
具体的には、前記施解錠認証手段２Ｄから前記操作者識別情報と許諾者識別情報とが合致した旨の認証信号を受信した場合には、前記許諾者識別情報に基づいて前記蓄積手段２Ｂから当該許諾者識別情報と関連付けられた権限レベル情報を読み出す。そして、当該権限レベル情報に合わせた施解錠制御情報を生成し、前記操作者識別情報を送信してきた遊戯機１に向けて当該施解錠制御情報を送信する。例えば、操作者が全ての施解錠機構を許諾された店長である場合には、前記遊戯機識別情報と共に、第一施解錠機構及び第二施解錠機構の施錠又は解錠を許諾する施解錠制御情報を遊戯機１へ送信する。
【００８４】
一方、当該施錠又は解錠に関する施解錠施解錠情報は、認証端末装置２から前記内部管理端末装置３へ送信する（ステップＳ１０６）。
【００８５】
尚、内部管理端末装置３へと送信された施解錠情報は、当該内部管理端末装置３を経由して、前記外部管理サーバ４へと送信される。
【００８６】
次に、外部管理サーバ４が施解錠情報を管理する工程について図５を参照して説明する。
【００８７】
外部管理サーバ４は、前記内部管理端末装置３から送信された施解錠情報を受信すると（ステップＳ２０１：Ｙ）、当該施解錠情報を前記蓄積手段４Ｂに蓄積する（ステップＳ２０２）。そして、施解錠が行なわれた時刻が規定の時間外である場合には（ステップＳ２０３：Ｙ）、当該施解錠情報を管理者携帯端末５へメールで送信する（ステップＳ２０４）。
【００８８】
具体的には、遊技場識別情報に基づいて前記蓄積手段４Ｂに蓄積した遊技場情報を読出し、当該遊技場情報に含まれる規定の時間と、前記施解錠情報に含まれる施解錠時刻とを比較し、当該施解錠時刻が規定の時間外である場合には、遊技場識別情報に基づいて前記蓄積手段４Ｂに蓄積した遊技場情報から予め定められた管理者携帯端末５に関する情報を読出し、当該施解錠情報を読み出した管理者携帯端末５へ送信する情報を作成する。
【００８９】
以上の遊戯機１の施解錠管理システムＳを採用することより、店員は遊戯機１毎に固有の鍵を管理する必要が無くなり、鍵の紛失を防止するなどしてセキュリティ機能を高めることが可能となるばかりか、施解錠を行なう者の利便性を飛躍的に向上させることができる。また、当該操作者識別情報により施解錠操作を行った者を特定できるため、不正を抑止する効果が期待できる。
【００９０】
更に、前記施解錠機構を操作可能な範囲を示す権限レベル情報を、前記許諾者識別情報と関連付けて蓄積する蓄積手段２Ｂと、前記蓄積手段２Ｂにて蓄積した権限レベルに応じて、前記施解錠機構の施錠又は解錠を制御する施解錠制御手段２Ｅとを有していることにより、例えば、店長であれば全ての施解錠機構の施解錠を可能とし、他の店員は一部の施解錠機構だけを施解錠できるなど、各個人の権限に合わせたセキュリティシステムを実現できる。
【００９１】
加えて、前記施解錠機構の施錠又は解錠に関する施解錠情報を管理する施解錠情報管理手段４Ｄを有しているため、容易に施解錠の管理を行うことができる。
【００９２】
更に、前記遊戯機１を設置した遊技場Ａの外部に設けた外部管理サーバ４に、前記施解錠機構の施錠又は解錠に関する施解錠情報を送信する施解錠情報送信手段３Ｄを設けているため、例えば、本部や管理センターなどで施解錠情報を管理することができる。これにより、遊技場Ａ内で閉じたシステムとならず、店員等を巻き込んだ不正を効果的に防止することができる。
【００９３】
また、規定の時間外に施錠又は解錠が行なわれた場合に、当該施錠又は解錠に関する施解錠情報を所定の管理者携帯端末５に送信する施解錠情報送信手段４Ｅを有することにより、不正が行なわれやすい営業時間外などにおいても容易に監視を行うことができ、不正の早期発見が可能となる。
【００９４】
なお、本発明における構成は、以上説明したものに限定されないのは勿論である。その他の構成も本発明の趣旨を逸脱しない範囲で種々変形が可能である。
【００９５】
本実施の形態においては、操作者携帯端末６をリング型携帯端末としているが、そのほか、ＲＦＩＤ等を用いた非接触通信手段を有する社員章や携帯電話等としてもよい。
【００９６】
また、操作者識別情報や許諾者識別情報として指紋、声紋、虹彩、静脈等の生体情報を利用することも考えられる。
【００９７】
具体的には、許諾者識別情報として許諾者の生体情報を画像情報等により予め登録しておく。そして、遊戯機１の近傍に、例えば指紋の読取器などの生体情報読取器を設置しておき、当該生体情報読取器を用いて操作者識別情報を受け付ける。その後、当該生体情報読取器を用いて操作者識別情報として受け付けた生体情報と、前記蓄積手段２Ｂに蓄積した許諾者識別情報である許諾者の生体情報と照合することにより認証を行なう。
【００９８】
つまり、本実施の態様に対応付けて各構成を説明すると、施解錠機構を有する遊戯機１の施解錠を管理する遊戯機１の施解錠管理システムＳにおいて、前記施解錠機構の施錠又は解錠を許諾された許諾者の許諾者識別情報である生体情報を登録する許諾者識別情報登録手段３Ａと、前記許諾者識別情報登録手段３Ａにて登録した許諾者識別情報を蓄積する許諾者識別情報蓄積手段２Ｂと、前記施解錠機構の施錠又は解錠の操作をする者が有する操作者識別情報である生体情報を受け付ける操作者識別情報受付手段１Ａと、前記操作者識別情報受付手段１Ａにて受け付けた操作者識別情報と、前記許諾者識別情報蓄積手段２Ｂにて蓄積している許諾者識別情報とを照合し、施錠又は解錠を許諾された操作者であるかを認証する施解錠認証手段２Ｄと、当該施解錠認証手段２Ｄの認証結果に基づいて、前記施解錠機構の施錠又は解錠を制御する施解錠制御手段２Ｅとを有することが考えられる。
【００９９】
これにより、鍵を紛失する心配がなくなるばかりか、操作者固有の生体情報を認証情報として利用するため、更にセキュリティを強化することができる。
【０１００】
更に、本実施の形態における認証システムと、前記生体情報を用いた認証システムとを併用してもよい。
【０１０１】
加えて、施解錠を管理する施解錠機構は上記構成に限られず、例えばパチンコ台の枠と島とを繋ぐワイヤーをロックするワイヤーロックの施解錠機構を管理することも考えられる。
【０１０２】
また、上記実施形態においては遊技機としてパチンコ台を挙げたが、スロット台などその他の遊戯機１にも本システムを適用できる。
【０１０３】
更に、内部管理端末装置３の機能を外部管理サーバ４が全て担う構成とすることも考えられる。加えて、本実施の形態においては、一の遊戯場に複数の認証端末装置２を設けているが、一の認証端末装置２にて全ての遊戯機１の認証を行なうことや、当該認証端末装置２の機能を各遊戯機１や内部管理端末装置３や外部管理サーバ４が担う構成としてもよい。
【０１０４】
また、操作者識別情報送信手段１Ｂをアクティブ型ではなくパッシブ型のＲＦＩＤタグ等にて構成し、操作者識別情報受信手段２Ｃから送られて来る問い合わせ信号を利用して操作者識別情報を送信する構成としたり、電波のみならず電磁波等を利用して送信する構成としたりすることも考えられる。
【図面の簡単な説明】
【０１０５】
【図１】本発明の第一実施形態に係る遊戯機１の施解錠管理システムＳを示す概要図。
【図２】同実施形態に係る機能概念図。
【図３】同実施形態に係る内部管理端末装置３のフロー図。
【図４】同実施形態に係る認証端末装置２のフロー図。
【図５】同実施形態に係る外部管理サーバ４のフロー図。
【符号の説明】
【０１０６】
Ｓ・・・施解錠管理システム
Ａ・・・遊技場
１・・・遊戯機
１Ａ・・・操作者識別情報受付手段
２Ｂ・・・許諾者識別情報蓄積手段（蓄積手段）
２Ｂ・・・権限レベル情報蓄積手段（蓄積手段）
２Ｄ・・・施解錠認証手段
２Ｅ・・・施解錠制御手段
３Ａ・・・許諾者識別情報登録手段
３Ｄ・・・施解錠情報送信手段
４・・・外部管理端末装置（外部管理サーバ）
４Ｅ・・・施解錠情報送信手段
５・・・端末装置（管理者携帯端末）
【図１】
2008043543.tif 000003
【図２】
2008043543.tif 000004
【図３】
2008043543.tif 000005
【図４】
2008043543.tif 000006
【図５】
2008043543.tif 000007